(57)【要約】  共焦点部（１１５）を有し、光源（１０３）からの光束を円偏光変調部（１０５）により左右の円偏光とし、その左右の円偏光を、試料に対して集光照射し、試料から放射される蛍光を光学レンズ（１０２）により集光し、波長選択部（１０７）により所定波長の蛍光のみを透過させ、透過した蛍光を検出し、その蛍光強度信号に基づき、右円偏光を照射した際に試料から放射される蛍光と、左円偏光を照射した際に試料から放射される蛍光との強度の差分を算出する円二色性蛍光顕微鏡（１００）によれば、少量の試料から、生体内においてタンパク質等の生体分子等の試料についての高次構造を直接解析できる。
2007088947.tif 000002
【特許請求の範囲】
【請求項１】
光源と、
上記光源から出射する光束を左右の円偏光とする円偏光変調手段と、
上記円偏光変調手段を透過する左右の円偏光を、試料に対して集光照射するための第１の光学レンズと、
上記試料から放射される蛍光を集光するための第２の光学レンズと、
上記第２の光学レンズにて集光される蛍光のうち、所定波長の蛍光のみを通過させる波長選択手段と、
上記波長選択手段を透過する蛍光を検出し蛍光強度信号とする蛍光測定手段と、
上記蛍光測定手段にて生成した蛍光強度信号に基づき、右円偏光を照射した際に試料から放射される蛍光と、左円偏光を照射した際に試料から放射される蛍光との強度の差分を算出する信号処理手段と、を備え、
さらに、上記第２の光学レンズと上記波長選択手段との間に、微小開口部を有する共焦点手段を備えることを特徴とする円二色性蛍光顕微鏡。
【請求項２】
さらに、上記円偏光変調手段が上記光源から出射した光束を所定の変調周波数で交互に左右の円偏光とするように制御する偏光制御手段と、
上記信号処理手段が、上記蛍光測定手段にて生成した蛍光強度信号のうち、上記変調周波数に同期して交流成分を取り出して、右円偏光を照射した際に試料から放射される蛍光と、左円偏光を照射した際に試料から放射される蛍光との強度の差分を算出するように制御する検出制御手段と、を備えることを特徴とする請求項１に記載の円二色性蛍光顕微鏡。
【請求項３】
さらに、上記第２の光学レンズと上記波長選択手段との間に、第３の光学レンズを備えることを特徴とする請求項１に記載の円二色性蛍光顕微鏡。
【請求項４】
上記第１の光学レンズと上記第２の光学レンズとは、同一の光学レンズであることを特徴とする請求項１に記載の円二色性蛍光顕微鏡。
【請求項５】
上記微小開口部の直径は、１０μｍ以上１００μｍ以下であることを特徴とする請求項１に記載の円二色性蛍光顕微鏡。
【請求項６】
光源と、
上記光源から出射する光束を集光照射するための第１の光学レンズと、
試料から放射される蛍光を集光するための第２の光学レンズと、
上記光源からの励起光は反射する一方、試料からの蛍光は透過する波長選択ミラーと、
上記第２の光学レンズを透過した蛍光の左右の円偏光成分を、変調された直線偏光成分に変更する円偏光変調手段と、
上記直線偏光成分のうち、縦横いずれかの直線偏光成分の透過を遮断する偏光遮断手段と、
上記偏光遮断手段を透過した円偏光成分のうち、所定波長の光のみを通過させる波長選択手段と、
上記波長選択手段を透過した蛍光を検出し蛍光強度信号とする蛍光測定手段と、
上記蛍光測定手段にて生成した蛍光強度信号に基づき、試料から放射される蛍光の右円偏光成分と左円偏光成分との強度の差分を算出する信号処理手段と、を備え、
さらに、上記波長選択ミラーと上記蛍光測定手段との間に、微小開口部を有する共焦点手段を備えることを特徴とする円二色性蛍光顕微鏡。
【請求項７】
上記共焦点手段は、上記波長選択ミラーと上記円偏光変調手段との間に設けられていることを特徴とする請求項６に記載の円二色性蛍光顕微鏡。
【請求項８】
上記共焦点手段は、円偏光変調手段へ到達する蛍光を整える機能を有するものであることを特徴とする請求項６に記載の円二色性蛍光顕微鏡。
【請求項９】
さらに、上記円偏光変調手段が上記第２の光学レンズを透過した蛍光を、所定の変調周波数で交互に左右の円偏光とするように制御する偏光制御手段と、
上記信号処理手段が、上記蛍光測定手段にて生成した蛍光強度信号のうち、上記変調周波数に同期して交流成分を取り出して、試料から放射される蛍光の右円偏光成分と左円偏光成分との強度の差分を算出するように制御する検出制御手段と、を備えることを特徴とする請求項６に記載の円二色性蛍光顕微鏡。
【請求項１０】
さらに、上記偏光遮断手段と上記波長選択手段との間に、第３の光学レンズを備えることを特徴とする請求項６に記載の円二色性蛍光顕微鏡。
【請求項１１】
上記第１の光学レンズと上記第２の光学レンズとは、同一の光学レンズであることを特徴とする請求項６に記載の円二色性蛍光顕微鏡。
【請求項１２】
上記微小開口部の直径は、１０μｍ以上１００μｍ以下であることを特徴とする請求項６に記載の円二色性蛍光顕微鏡。
【請求項１３】
さらに、上記信号処理手段によって算出された蛍光強度の差情報に基づき、上記試料についての画像を形成する画像処理手段を備えることを特徴とする請求項１に記載の円二色性蛍光顕微鏡。
【請求項１４】
さらに、上記信号処理手段によって算出された蛍光強度の差情報に基づき、上記試料についての画像を形成する画像処理手段を備えることを特徴とする請求項６に記載の円二色性蛍光顕微鏡。
【請求項１５】
上記波長選択手段の所定波長を外部信号により制御するとともに、円偏光変調手段の変調光波長を制御する円偏光蛍光検出波長制御手段を備えることを特徴とする請求項１または６に記載の円二色性蛍光顕微鏡。
【発明の詳細な説明】
【技術分野】
【０００１】
本発明は、円二色性を観察するための円二色性蛍光顕微鏡に関するものであり、特に、円偏光励起二色性スペクトルまたは円偏光蛍光二色性スペクトルを観察するための円二色性蛍光顕微鏡に関するものである。
【背景技術】
【０００２】
薬物や毒物、あるいは生体内に存在する機能性生体成分などの生理活性物質の多くはいわゆるキラリティを有する。そして、これら生理活性物質の生理活性は、キラリティ、すなわち物質の高次構造（立体構造や立体配置など）に強く依存することが広く知られている。このため、生理活性物質の研究においては、その物質のキラリティの把握がきわめて重要なことである。なかでも、近年、タンパク質や核酸等の生体分子のキラリティや高次構造について特に注目が集まっている。【０００３】
これら生体分子は、生体内においてダイナミックに構造が変化していると考えられている。例えば、エイズを引き起こすＨＩＶは、宿主のタンパク質を挟んで切断するプロテアーゼによりエイズ感染を引き起こすことが知られているが、このプロテアーゼはタンパク質を切断する際に大きな立体構造の変化を起すと考えられている。また、狂牛病（ＢＳＥ）の発症は、プリオンタンパク質の高次構造が大きく変化することにより引き起こされるといわれている。【０００４】
このようにタンパク質等の生体分子の高次構造を解析することは疾患の治療や診断に有効であるなどの理由から、生体分子の高次構造を解析する技術が開発されている。代表的な技術として、円二色性スペクトル解析（ＣＤ）、円偏光励起二色性スペクトル解析（ＦＤＣＤ）、円偏光蛍光二色性スペクトル解析（ＣＰＬ）等が知られている。【０００５】
例えば、特許文献１には、ＦＤＣＤに関する技術が開示されている。具体的には、キラリティを有する物質に蛍光性官能基を導入し、それを左右の円偏光で励起してそれぞれの蛍光強度を測定し、左円偏光励起と右円偏光励起の蛍光強度差情報より該物質のキラリティを解析するキラリティ解析方法が記載されている。【０００６】
また、特許文献２には、波長走査が行われる単色化された左右の円偏光を所定の変調周波数で交互に試料に照射して得られる蛍光の強度を測定し電気信号とする円二色性蛍光励起スペクトル測定装置において、前記電気信号のうち、左右の円偏光に切り換える周波数に同期した交流信号成分のみを単独に用いて、円二色性蛍光励起スペクトルを得ることにより、検出感度の向上を図ることができることが記載されている。【０００７】
また、特許文献３には、レーザ走査型顕微鏡を用いて試料のＣＰＬあるいはＦＤＣＤを測定する方法及び装置について記載されている。例えば、図４にはＣＰＬを測定する装置、また図９にはＦＤＣＤを測定する装置の模式図が記載されている。
〔特許文献１〕
特開平１１−２６０６号公報（公開日：平成１１（１９９９）年１月６日）
〔特許文献２〕
特開平１１−２３４６６号公報（公開日：平成１１年（１９９９）１月２９日）
〔特許文献３〕
ＵＳ  ２００３／００５８４４２  Ａ１（公開日：２００３年５月２７日）
ところで、タンパク質等の生体分子のキラリティは、その分子のおかれる環境に大きく依存すると考えられる。例えば、タンパク質や核酸等は、他のタンパク質や細胞膜等と相互作用し、その立体構造を変化させていると予想される。しかし、このような現象の解析は、試験管内の均一な実験系では解析できない。このため、生体分子の高次構造解析を行う場合、生体内（例えば、細胞内等）において生体分子の高次構造を直接解析することが非常に重要なことであると本発明者は考えた。【０００８】
しかしながら、上述したＣＤ，ＦＤＣＤ，ＣＰＬのような技術は、いずれも均一溶液中に存在する物質のキラリティ解析を目的としたものである。このため、生体内のような様々な物質が存在し、不均一な環境に存在する物質のキラリティ解析には不向きである。【０００９】
また、上述した特許文献１，２に開示の技術は、いわゆる顕微鏡解析の技術ではなく、分析するための試料も大量に必要となる。しかし、生体分子は一般に極微量しか調製できず、試料の大量取得には時間とコストがかかってしまうという問題もある。【００１０】
また、上記特許文献３に記載の技術では、実用レベルでの測定を行うことができない可能性が高い。特に、上記特許文献３に開示の技術では、円偏光成分が小さい試料は、解析できない。【００１１】
また、上記特許文献３では、円偏光蛍光二色性スペクトル解析（ＣＰＬ）を行う場合、励起光を透過し、蛍光光を反射させる手段として、半透過ミラーを用いている。半透過ミラーは波長選択性がないだけでなく、半透過であるために、入射する励起光について光強度のロスが発生し、さらに反射させる蛍光光についても強度ロスが発生することとなる。このようなロスにより、測定精度が大幅に劣るという問題がある。加えて、半透過ミラーが光路に対して厳密に４５度の角度で配置されていないと、ひずみが発生し、測定精度、安定性が大幅に劣るという問題もある。【００１２】
また、上記特許文献３では、図４に示されるように、アイリスが検出部の直近にある構成となっている。このような構成では、試料から出る蛍光光が偏光変調部内で多重反射し、偏光成分の検出に誤差が生じるという問題もある。【００１３】
それゆえ、解析に大量の試料が必要でなく、かつ生体内においてタンパク質等の生体分子の高次構造を直接かつ高精度で解析できる技術の開発が求められていた。このような技術の研究開発は従来まったく行われておらず、新規領域の開拓に資する上記技術の開発が強く望まれている。【００１４】
本発明は、上記の問題点に鑑みてなされたものであり、その目的は、解析に大量の試料が必要でなく、かつ、例えば、生体内においてタンパク質等の生体分子等の試料についての高次構造を直接かつ高精度で解析できるような円二色性蛍光顕微鏡を提供することにある。
【発明の開示】
【００１５】
本発明者は、上記課題を解決すべく鋭意検討を行った結果、レーザ走査蛍光顕微鏡の検出・励起光学系およびデータ処理系に加えて、さらに円偏光励起二色性スペクトル解析（ＦＤＣＤ）、円偏光蛍光二色性スペクトル解析（ＣＰＬ）を検出する光学系を備える装置を開発することにより、極少量の試料を用いて、かつ、生体内においてタンパク質等の生体分子等の試料についての高次構造を直接解析できるという新事実を見出し、本願発明を完成させるに至った。本発明は、かかる新規知見に基づいて完成されたものであり、以下の発明を包含する。
【００１６】
（１）光源と、上記光源から出射する光束を左右の円偏光とする円偏光変調手段と、上記円偏光変調手段を透過する左右の円偏光を、試料に対して集光照射するための第１の光学レンズと、上記試料から放射される蛍光を集光するための第２の光学レンズと、上記第２の光学レンズにて集光される蛍光のうち、所定波長の蛍光のみを通過させる波長選択手段と、上記波長選択手段を透過する蛍光を検出し蛍光強度信号とする蛍光測定手段と、上記蛍光測定手段にて生成した蛍光強度信号に基づき、右円偏光を照射した際に試料から放射される蛍光と、左円偏光を照射した際に試料から放射される蛍光との強度の差分を算出する信号処理手段と、を備え、さらに、上記第２の光学レンズと上記波長選択手段との間に、微小開口部を有する共焦点手段を備える円二色性蛍光顕微鏡。
【００１７】
（２）さらに、上記円偏光変調手段が上記光源から出射した光束を所定の変調周波数で交互に左右の円偏光とするように制御する偏光制御手段と、上記信号処理手段が、上記蛍光測定手段にて生成した蛍光強度信号のうち、上記変調周波数に同期して交流成分を取り出して、右円偏光を照射した際に試料から放射される蛍光と、左円偏光を照射した際に試料から放射される蛍光との強度の差分を算出するように制御する検出制御手段と、を備える（１）に記載の円二色性蛍光顕微鏡。
【００１８】
（３）さらに、上記第２の光学レンズと上記波長選択手段との間に、第３の光学レンズを備える（１）に記載の円二色性蛍光顕微鏡。
【００１９】
（４）上記第１の光学レンズと上記第２の光学レンズとは、同一の光学レンズである（１）に記載の円二色性蛍光顕微鏡。
【００２０】
（５）上記微小開口部の直径は、１０μｍ以上１００μｍ以下である（１）に記載の円二色性蛍光顕微鏡。
【００２１】
（６）光源と、上記光源から出射する光束を集光照射するための第１の光学レンズと、試料から放射される蛍光を集光するための第２の光学レンズと、上記光源からの励起光は反射する一方、試料からの蛍光は透過する波長選択ミラーと、上記第２の光学レンズを透過した蛍光の左右の円偏光成分を、変調された直線偏光成分に変更する円偏光変調手段と、上記直線偏光成分のうち、縦横いずれかの直線偏光成分の透過を遮断する偏光遮断手段と、上記偏光遮断手段を透過した円偏光成分のうち、所定波長の光のみを通過させる波長選択手段と、上記波長選択手段を透過した蛍光を検出し蛍光強度信号とする蛍光測定手段と、上記蛍光測定手段にて生成した蛍光強度信号に基づき、試料から放射される蛍光の右円偏光成分と左円偏光成分との強度の差分を算出する信号処理手段と、を備え、さらに、上記波長選択ミラーと上記蛍光測定手段との間に、微小開口部を有する共焦点手段を備える円二色性蛍光顕微鏡。
【００２２】
（７）上記共焦点手段は、上記波長選択ミラーと上記円偏光変調手段との間に設けられている（６）に記載の円二色性蛍光顕微鏡。
【００２３】
（８）上記共焦点手段は、円偏光変調手段へ到達する蛍光を整える機能を有するものである（６）に記載の円二色性蛍光顕微鏡。
【００２４】
（９）さらに、上記円偏光変調手段が上記第２の光学レンズを透過した蛍光を、所定の変調周波数で交互に左右の円偏光とするように制御する偏光制御手段と、上記信号処理手段が、上記蛍光測定手段にて生成した蛍光強度信号のうち、上記変調周波数に同期して交流成分を取り出して、試料から放射される蛍光の右円偏光成分と左円偏光成分との強度の差分を算出するように制御する検出制御手段と、を備える（６）に記載の円二色性蛍光顕微鏡。
【００２５】
（１０）さらに、上記偏光遮断手段と上記波長選択手段との間に、第３の光学レンズを備える（６）に記載の円二色性蛍光顕微鏡。
【００２６】
（１１）上記第１の光学レンズと上記第２の光学レンズとは、同一の光学レンズである（６）に記載の円二色性蛍光顕微鏡。
【００２７】
（１２）上記微小開口部の直径は、１０μｍ以上１００μｍ以下である（６）に記載の円二色性蛍光顕微鏡。
【００２８】
（１３）さらに、上記信号処理手段によって算出された蛍光強度の差情報に基づき、上記試料についての画像を形成する画像処理手段を備える（１）に記載の円二色性蛍光顕微鏡。
【００２９】
（１４）さらに、上記信号処理手段によって算出された蛍光強度の差情報に基づき、上記試料についての画像を形成する画像処理手段を備える（６）に記載の円二色性蛍光顕微鏡。
【００３０】
（１５）上記波長選択手段の所定波長を外部信号により制御するとともに、円偏光変調手段の変調光波長を制御する円偏光蛍光検出波長制御手段を備える（１）または（６）に記載の円二色性蛍光顕微鏡。
【００３１】
なお、上記円二色性蛍光顕微鏡は、コンピュータによって実現してもよく、この場合には、コンピュータを上記各手段として動作させることにより上記円二色性蛍光顕微鏡をコンピュータにて実現させる円二色性蛍光顕微鏡の制御プログラム、およびそれを記録したコンピュータ読み取り可能な記録媒体も、本発明の範疇に入る。
【００３２】
本発明のさらに他の目的、特徴、および優れた点は、以下に示す記載によって十分わかるであろう。また、本発明の利益は、添付図面を参照した次の説明で明白になるであろう。
【図面の簡単な説明】
【００３３】
【図１】本発明の参考の形態に係る円二色性蛍光顕微鏡であって、円偏光励起二色性スペクトルを２次元解析する装置の構成を模式的に示す図である。
【図２】本発明の実施形態に係る円二色性蛍光顕微鏡であって、円偏光励起二色性スペクトルを３次元解析する装置の構成を模式的に示す図である。
【図３】本発明の参考の形態に係る円二色性蛍光顕微鏡であって、円偏光蛍光二色性スペクトルを２次元解析する装置の構成を模式的に示す図である。
【図４】本発明の実施形態に係る円二色性蛍光顕微鏡であって、円偏光蛍光二色性スペクトルを３次元解析する装置の構成を模式的に示す図である。
【図５】本発明の実施形態に係る円二色性蛍光顕微鏡であって、円偏光蛍光二色性スペクトルを３次元解析する装置の他の構成を模式的に示す図である。
【符号の説明】
【００３４】
１００    円二色性蛍光顕微鏡
１００’  円二色性蛍光顕微鏡
１０２    光学レンズ（第１の光学レンズ，第２の光学レンズ）
１０３    光源
１０４    波長選択ミラー
１０５    円偏光変調部（円偏光変調手段）
１０６    光学レンズ（第３の光学レンズ）
１０７    波長選択部（波長選択手段）
１０８    蛍光測定部（蛍光測定手段）
１０９    偏光制御部（偏光制御手段）
１０９’  偏光制御部（偏光制御手段）
１１０    検出制御部（検出制御手段）
１１４    信号処理部（信号処理手段）
１１４’  信号処理部（信号処理手段）
１１５    共焦点部（共焦点手段）
１１５’  共焦点部（共焦点手段）
２００    円二色性蛍光顕微鏡
２００’  円二色性蛍光顕微鏡
２０５    円偏光変調部（円偏光変調手段）
２０６    偏光遮断部（偏光遮断手段）
２１０    検出制御部（検出制御手段）
２１４    信号処理部（信号処理手段）
２１４’  信号処理部（信号処理手段）
３００    円二色性蛍光顕微鏡
【発明を実施するための最良の形態】
【００３５】
まず、本発明の概要について説明する。【００３６】
上述したように、タンパク質や核酸等の生体分子は、キラリティを有し、右円偏光と左円偏光に対する吸収の度合いが異なる円二色性という性質を示す。円二色性は分子のキラリティに依存して大きく変化する。また、分子に対する計測方向にも依存する。さらに、分子のキラリティは、分子のおかれる環境に大きく依存することが予想されるため、固体表面や細胞膜あるいはタンパク質やＤＮＡ等の核酸との相互作用に対して敏感に変化することが期待される。しかし、これまで、生体内部における分子のキラリティ解析についての検討は全く行われておらず、新規領域の開拓を考えた場合、例えば、生体内において生体分子のキラリティを直接解析できる装置の開発が潜在的に求められていたといえる。【００３７】
本発明は上述したような種々の物質について、円二色性を通じてキラリティに関する情報を解析し、２次元または３次元でのマッピングを可能とする顕微鏡に関する技術である。本発明において対象とする円二色性は、大きく２種類に大別できる。具体的には、円偏光励起二色性と円偏光蛍光二色性である。前者は励起光が＋、−のそれぞれの円偏光であった場合における蛍光発光の強度の差を計測、マッピングすることにより解析できる。また、後者は直線偏光励起下での蛍光発光における＋および−の円偏光成分の差を検出しマッピングすることにより解析できる。【００３８】
円偏光励起二色性を解析する場合について、より具体的に述べると、例えば、（１）励起光を円偏光として＋あるいは−の円偏光を照射したときの吸収係数に差があれば蛍光強度の差を与える。（２）励起光を円偏光とするためにはＸおよびＹ方向の偏光成分に±λ／４の位相差を与える。（３）円偏光励起二色性の計測のためには、この位相差を±λ／４を振幅とする正弦波により変調させ、蛍光強度の同期成分をロックインアンプにより検出する。という流れで行うことができる。【００３９】
また、円偏光蛍光二色性を解析する場合は、例えば、（１）直線偏光により励起させたときの蛍光発光のうち、円偏光成分を検出する。（２）蛍光光に±λ／４の位相差を与えたときに、±それぞれの円偏光成分はＸおよびＹ方向の直線偏光成分に変換されるので、その強度を、偏光子を通して計測すると、円偏光成分は位相差に応じて変化する。（３）計測には位相差を周期的に変調させ、その同期信号をロックインアンプにより検出する。という流れで行うことができる。【００４０】
蛍光色素を細胞内に導入して、細胞、タンパク質、核酸に取り込ませ、生きた細胞中で蛍光分子と生体分子とが相互作用し、キラリティが変化する様子を、分子の局在部位を特定しながら計測・解析することは、これまでの技術では不可能であった。しかし、本発明に係る円二色性蛍光顕微鏡によれば、上記解析が可能となる。特に、本発明に係る円二色性蛍光顕微鏡を用いて、特定の細胞器官や特定の刺激に応答して蛍光分子が細胞内の特定の場所に取り込まれる現象を、分子のキラリティをもとに検出することができる。それゆえ、本発明は、医学・生理学等の学術分野だけでなく、診断・医療機器、分析機器、製薬事業や食品事業等の様々な産業においても大きなインパクトを与えることができる、非常に優れた発明であるといえる。【００４１】
以下、上述した技術思想を具現化した本発明に関連する参考の形態及び本発明の実施の形態について、図面に基づき、例を挙げて詳細に説明する。【００４２】
〔参考の形態１〕
図１は、本参考の形態に係る円二色性蛍光顕微鏡１００の構造を模式的に示すものである。【００４３】
円二色性蛍光顕微鏡１００は、試料についての円偏光励起二色性スペクトル（ＦＤＣＤ）を２次元で解析するための蛍光顕微鏡装置である。具体的には、円二色性蛍光顕微鏡１００は、試料ステージ１０１，光学レンズ１０２，光源１０３，波長選択ミラー１０４，円偏光変調部１０５，光学レンズ１０６，波長選択部１０７，蛍光測定部１０８，偏光制御部１０９，検出制御部１１０，ステージ制御部１１１，信号処理部１１４を備えている。【００４４】
試料ステージ１０１は、ステージ制御部１１１からのＸＹ制御信号により、ＸＹ方向に２次元移動が可能に構成されている駆動ステージである。また、試料が入ったセルを保持するセルホルダーが設けられていてもよい。【００４５】
光学レンズ１０２は、いわゆる対物レンズとして機能するものである。すなわち、光学レンズ１０２は、円偏光変調部を透過し波長選択ミラー１０４により反射した光を、試料に対して集光照射するための第１の光学レンズとして機能するものである。また、光学レンズ１０２は、試料から放射される蛍光を集光するための第２の光学レンズとしても機能する。つまり、本参考の形態では、光学レンズ１０２は、第１の光学レンズおよび第２の光学レンズとして機能するものであるといえる。【００４６】
かかる光学レンズとしては、従来公知の対物レンズを用いることができ、具体的な構成は特に限定されるものではないが、例えば、蛍光顕微鏡用の４０倍対物レンズ等を用いることができる。なお、本参考の形態では、光学レンズ１０２が、第１の光学レンズおよび第２の光学レンズとして機能する構成を例に挙げて説明するが、この構成に限られるものではなく、第１の光学レンズおよび第２の光学レンズがそれぞれ別々に設けられている構成であってもよい。【００４７】
光源１０３についても、試料に光束（直線偏光）を照射することができるものであればよく、従来公知の光源を用いることができ、その強度や波長等については適宜設定可能である。例えば、レーザ光源（４０５ｎｍ，５ｍＷ）を用いることができる。【００４８】
波長選択ミラー１０４は、光源１０３からの励起光は反射する一方、試料からの蛍光は透過するものである。つまり、光源１０３を出射し、円偏光変調部１０５を透過した励起光を反射する一方、試料から放射される蛍光を透過する構成であればよく、例えば、ダイクロイックミラーを用いることができる。より具体的には、例えば、ＤＣＭ４９０等を用いることができる。【００４９】
円偏光変調部１０５は、光源１０３から出射する光束を左右の円偏光とする円偏光変調手段として機能するものである。より具体的には、円偏光変調部１０５は、偏光制御部１０９の制御信号に基づいて、光源１０３から出射する光束（直線偏光）を所定の変調周波数で交互に左右の円偏光とするものである。円偏光変調部１０５は、かかる機能を有するものであれば、具体的な構成は特に限定されるものではなく、従来公知の円偏光変調手段を用いることができる。例えば、ＨＩＤＮＳ社製のＰＭ−Ｉ／ＦＳ５０等のＰＥＭモジュレータを用いることができる。【００５０】
光学レンズ１０６は、波長選択ミラー１０４を透過した光を、波長選択部１０７へ集光するためのものである。光学レンズ１０６は、波長選択ミラー１０４と波長選択部１０７との間に備えられる第３の光学レンズとして機能するものである。第３の光学レンズを設けることにより、顕微鏡の高感度化を図ることができる。【００５１】
波長選択部１０７は、光学レンズ１０２にて集光され、波長選択ミラー１０４を透過した蛍光のうち、所定波長の蛍光のみを通過させる波長選択手段として機能するものである。この波長選択部１０７の具体的な構成についても特に限定されるものではなく、従来公知のバンドパスフィルターまたはモノクロメーター、あるいはその組み合わせ等を好適に用いることができる。【００５２】
蛍光測定部１０８は、波長選択部１０７を透過した蛍光を検出し蛍光強度信号とする蛍光測定手段として機能するものである。かかる機能を有するものであれば、従来公知の光検出器を好適に用いることができる。例えば、浜松ホトニクス社製の光検出モジュールＨ７７３２−１０等を用いることができる。【００５３】
偏光制御部１０９は、円偏光変調部１０５が光源１０３から出射する光束（直線偏光）を所定の変調周波数で交互に左右の円偏光とするように制御する偏光制御手段として機能するものである。かかる機能を有するものであれば、従来公知の制御部材を好適に用いることができる。例えば、ＰＥＭモジュレーターコントローラ等を用いることができる。【００５４】
検出制御部１１０は、信号処理部１１４が蛍光測定部１０８にて生成した蛍光強度信号（電気信号）のうち、上記変調周波数に同期して交流成分を取り出して、右円偏光を照射した際に試料から放射される蛍光と、左円偏光を照射した際に試料から放射される蛍光との強度の差分を算出するように制御する検出制御手段として機能するものである。【００５５】
また、検出制御部１１０は、蛍光測定部１０８からは光量信号を受け、偏光制御部１０９に対して参照信号を出力する。いわゆるロックインアンプとして機能するものであるとも換言できる。かかる制御部としては、従来公知の制御部材を好適に用いることができ、例えば、公知のロックインアンプを用いることができる。【００５６】
ステージ制御部１１１は、信号処理部１１４からのＸＹ制御信号に基づき、試料ステージ１０１のＸＹ方向の移動を制御するものである。かかる制御部としては、従来公知の制御部材を好適に用いることができ、その具体的な構成等は特に限定されるものではない。【００５７】
信号処理部１１４は、蛍光測定部１０８にて生成した蛍光強度信号（電気信号）に基づき、右円偏光を照射した際に試料から放射される蛍光と、左円偏光を照射した際に試料から放射される蛍光との強度の差分を算出する信号処理手段として機能するものである。換言すれば、試料についての円偏光励起二色性スペクトルを算出するものといえる。【００５８】
ここで、円偏光励起二色性スペクトルとは、試料に単色化した左と右の円偏光を交互に照射して励起したときの蛍光強度を測定し、左の円偏光で励起したときと、右の円偏光で励起したときの蛍光強度の差を波長に対して記録するものである。【００５９】
また、信号処理部１１４は、波長選択部１０７の所定波長を外部信号により制御するとともに、円偏光変調部１０５の変調光波長を制御する円偏光蛍光検出波長制御手段として機能する構成であってもよい。【００６０】
本参考の形態では、信号処理部１１４は、偏光制御部１０９，検出制御部１１０及びステージ制御部１１１といった各種制御手段を制御する部材でもある。具体的には、信号処理部１１４は、各種制御手段と連結されたインターフェース１１２及び解析用ＰＣ１１３とを備えている。【００６１】
解析用ＰＣ１１３は、インターフェース１１２を介して、偏光制御部１０９，検出制御部１１０及びステージ制御部１１１といった各種制御手段を制御するように構成されている。具体的には、解析用ＰＣ１１３は、インターフェース１１２を介して、偏光制御部１０９に対して波長制御信号を、ステージ制御部１１１に対してはＸＹ制御信号を付与する。かかるインターフェース１１２としては、例えば、ＧＰ−ＩＢインターフェース等を用いることができる。【００６２】
解析用ＰＣ１１３は、さらに、算出された蛍光強度の差情報に基づき、上記試料についての画像を形成する画像処理手段として機能するように構成されていてもよい。これは、試料についてのキラリティ情報をイメージングし、マッピングする手段である。かかるイメージング・マッピングの機構については、従来公知の手段や機構、ソフトウェアを用いることができ、特に限定されるものではない。例えば、レーザ走査型蛍光顕微鏡等のデータを用いてイメージング・マッピングするソフトウェア等を好適に用いることができる。このように、信号処理部１１４は、少なくとも上述した機能を備えていればよく、その具体的な構成等は特に限定されず、特に記述した点以外については、公知の演算装置（ハードウェア）やソフトウェアを好適に用いることができる。【００６３】
イメージマッピングの機構について、信号処理の具体例を説明する。なお、以下の説明は、蛍光光の強度の差分を取った後の処理である。また、検出制御部（ロックインアンプ）から信号制御部へ交流成分だけでなく直流成分も送ることができる。【００６４】
より具体的には、信号には交流成分と直流成分とが含まれる。交流成分はキラリティと分子数に比例し、直流成分は分子数（濃度）に比例する。このことから、下記数式に示すｇ値（キラリティ異方性パラメータ）をマッピングすることでより精密なデータの解析が可能となる。【００６５】
ｇ＝Ｉ＋−Ｉ−／（１／２（Ｉ＋−Ｉ−））＝２交流成分／直流成分
次に、円二色性蛍光顕微鏡１００が、試料についての円偏光励起二色性スペクトルを解析する際の動作について説明する。【００６６】
まず、光源１０３から直線偏光のレーザ光を円偏光変調部１０５に照射する。直線偏光のレーザ光は、円偏光変調部１０５により、左右の円偏光の励起光となる。次いで、この円偏光の励起光は、波長選択ミラー１０４を介して光学レンズ１０２に入射し、試料ステージ１０１上の試料に集光照射される。本試料は試料ステージ１０１に固定されており、試料の位置はステージ制御部１１１を介して信号処理部１１４（具体的には、解析用ＰＣ１１３）により制御される。【００６７】
円偏光変調部１０５は、検出制御部１１０からの参照信号によって定義される振動数ωで、なおかつ振幅が±λ／４の位相差を励起光に与えるように構成されている（偏光制御部１０９を介して）。ここでλは励起光（円偏光のレーザ光）の波長であり、信号処理部１１４の解析用ＰＣ１１３からインターフェース１１２を介して波長制御信号として偏光制御部１０９を介して与えられる。これにより、円偏光変調部１０５が光源１０３から出射した光束（直線偏光）を所定の変調周波数で交互に左右の円偏光へと変調することになる。【００６８】
次いで、上記円偏光の励起光の試料への集光照射により、試料から蛍光が放射される。試料から発せられる蛍光は、光学レンズ１０２により集光され平行光として波長選択ミラー１０４を透過し、光学レンズ１０６、波長選択部１０７を経て、蛍光測定部１０８にて蛍光強度信号（電気信号）に変換される。そして、光量信号として検出制御部１１０へ出力される。【００６９】
このとき、例えば、試料の励起光に対する吸光度が右の円偏光（便宜上、“＋”の円偏光とする）に対して大きく、左の円偏光（便宜上、“−”の円偏光とする）に対して小さい場合には、円偏光変調部１０５が＋λ／４の位相差を与える場合に強い蛍光信号が検出されることになり、また−λ／４の位相差を与える場合に弱い蛍光信号が検出されることになる。このため、検出制御部１１０において、蛍光測定部１０８からの電気信号（光量信号）は振動数ωで変調される。この変調された信号成分はインターフェース１１２を介して解析用ＰＣ１１３にデータを転送される。【００７０】
そして、解析用ＰＣ１１３は、右円偏光を照射した際に試料から放射される蛍光と、左円偏光を照射した際に試料から放射される蛍光との強度の差分を算出し、試料についての円偏光励起二色性スペクトルを解析する。また、解析用ＰＣ１１３は、試料ステージ１０１の位置情報に応じた円偏光励起二色性スペクトルをイメージ化しマッピングする。【００７１】
また、円二色性蛍光顕微鏡１００の解析対象となる試料は、ユーザがキラリティや高次構造、立体構造等の解析を所望する試料であれば特に限定されるものではなく、様々な試料を対象とすることができる。なかでも、生体内におけるタンパク質や核酸といった生体分子の高次構造やキラリティ情報の解析に用いることが好ましい。【００７２】
なお、解析対象となる試料は、蛍光性物質が導入されており、励起光を吸収し、蛍光を発するように調製されていることが好ましい。例えば、かかる蛍光性物質としては、蛍光性官能基を挙げることができる。例えば、化学的手段を用いて蛍光性官能基を導入して試料を蛍光物質化する手法を例示することができる。蛍光性官能基としては、特に限定されるものではないが、ナフタレン環、アントラセン環、ピレン環、ペリレン環、コロネン環、ポルフィリン環等を含む基は蛍光強度が強く、かつそれ自身の対称性が高く、電子状態や吸収・蛍光の遷移モーメントの方向などが十分に研究されていて、後の解析に好都合である。なお、これらに限定されず、本発明の目的に応じて、様々な物質・手法を用いて試料を蛍光物質化することができることを念のため付言しておく。【００７３】
上述した円二色性蛍光顕微鏡１００によれば、まず、試料の絶対量が少なくても円偏光励起二色性スペクトルを解析可能である。これにより、多くの試料を必要としないというメリットがある。また、円二色性蛍光顕微鏡によれば、例えば、細胞内部に存在するタンパク質や核酸といった生体分子について、当該細胞内部におけるキラリティ情報や高次構造、立体構造等を直接（例えば、細胞を生かしたまま）解析することができる。【００７４】
さらに、血液や体液（唾液含）等の光散乱性の試料でも解析可能である。単なるスペクトル解析装置では光が散乱する試料の測定は困難であるため、この本発明の作用効果は非常に有利な効果である。通常、血液や唾液などの体液は光散乱性である（濁っている）ため、スペクトロメータで解析する場合は前処理が必要となる。しかし、本参考の形態に係る円二色性蛍光顕微鏡では、光散乱性の試料であっても直接解析可能であり、前処理は必要ないという特有の効果がある。【００７５】
〔実施の形態１〕
上記参考の形態１では、円偏光励起二色性スペクトルを２次元解析するための円二色性蛍光顕微鏡の一実施形態について説明したが、本実施形態では、共焦点化し、３次元で円偏光励起二色性スペクトルの解析が可能な円二色性蛍光顕微鏡の一実施形態について説明する。なお、説明の便宜上、上記参考の形態１にて説明した部材と同じ機能を有する部材については、同じ符号を付記し、その説明を省略する。本実施の形態では、上記参考の形態１との相違点について説明するものとする。【００７６】
図２は、本実施の形態に係る円二色性蛍光顕微鏡１００’の構造を模式的に示すものである。【００７７】
円二色性蛍光顕微鏡１００’は、試料についての円偏光励起二色性スペクトルを３次元解析するための蛍光顕微鏡であり、共焦点顕微鏡の機構を利用している点が参考の形態１と最も異なる特徴点である。具体的には、円二色性蛍光顕微鏡１００は、試料ステージ１０１’，光学レンズ１０２，光源１０３，波長選択ミラー１０４，円偏光変調部１０５，光学レンズ１０６，波長選択部１０７，蛍光測定部１０８，偏光制御部１０９，検出制御部１１０，ステージ制御部１１１’，信号処理部１１４’，共焦点部１１５を備えている。【００７８】
試料ステージ１０１’は、参考の形態１の試料ステージの機能に加えて、Ｚ軸方向への移動が可能な３次元駆動ステージである。また、それにあわせて、ステージ制御部１１１’もＸＹＺ制御信号を出力し、試料ステージ１０１’の移動を制御するように構成されている。なお、試料ステージ１０１’の替わりに、光学レンズ１０２がＺ軸方向（試料ステージ１０１’と光学レンズ１０２とが近づいたり、離れたりする方向）に移動可能に構成されていてもよい。その場合の制御系その他の構成については従来公知の手法・システム等を好適に用いることができる。【００７９】
信号処理部１１４’は、インターフェース１１２と３次元解析用の解析用ＰＣ１１３’を備えている。解析用ＰＣ１１３’は、共焦点顕微鏡データから３次元の円偏光励起二色性スペクトル解析を行うものである。３次元データを処理する手法や機構については、従来公知の３次元データを解析するためのソフトウェア等を好適に用いることができ、特に限定されるものではない。なお、円偏光励起二色性スペクトルの解析手法の原理については、参考の形態１と同様である。また、解析用ＰＣ１１３’は、イメージング・マッピング処理が可能に構成されていてもよい。【００８０】
また、信号処理部１１４’は、信号処理部１１４と同様、波長選択部１０７の所定波長を外部信号により制御するとともに、円偏光変調部１０５の変調光波長を制御する円偏光蛍光検出波長制御手段として機能する構成であってもよい。【００８１】
共焦点部１１５は、波長選択ミラー１０４と波長選択部１０７（より詳細には、光学レンズ１０６）との間に設けられており、光学レンズ１１６，微小開口部を備えるピンホール板１１７，光学レンズ１１８を備えている。光学レンズ１１６はピンホール板１１７の微小開口部に光を集光させるためのレンズである。光学レンズ１１８は微小開口部を透過した光を集光し、光学レンズ１０６へ導くためのレンズである。かかる共焦点部１１５は、微小開口部を備えるピンホール板のみから構成されていてもよいが、より好ましくは本実施の形態のようにピンホール板と光学系とから構成される共焦点ユニット（共焦点スキャナ）であることが好ましい。なお、上記共焦点部１１５は従来公知の共焦点ユニットを用いることができ、その具体的な構成は、本発明の目的に応じて適宜設定可能である。【００８２】
円二色性蛍光顕微鏡１００’の動作についても、波長選択ミラー１０４を透過した蛍光が、光学レンズ１０６に到達する前に、共焦点部１１５を透過する点以外は、参考の形態１とほぼ同様であるため、詳細な説明は省略する。上記の構成により、試料から放射された蛍光のうち、微小開口部に焦点を結ぶ光のみが透過し、それ以外の光は遮断されるため、蛍光検出部１０８では試料からの蛍光について共焦点像を得ることができる。そして、信号処理部１１４’は、この共焦点像データに基づき、円偏光励起二色性スペクトルの３次元解析を行う。【００８３】
特に、上記ピンホール板１１７の微小開口部の直径は、１０〜１００μｍであることが好ましく、３０〜５０μｍであることがより好ましい。上記の範囲であれば、試料からの蛍光を確実に整えることができ、より高精度の共焦点像を取得することができる。【００８４】
上記の構成によれば、上述した参考の形態１で述べた効果に加えて、例えば、細胞内部に存在するタンパク質や核酸といった生体分子について、細胞内部におけるキラリティ情報や高次構造、立体構造等を３次元解析することができる。また、イメージング・マッピングすることも勿論可能である。イメージマッピングの機構における信号処理の具体例は、上述の参考の形態１と同様であるため、ここではその説明を省略する。【００８５】
〔参考の形態２〕
上記参考の形態１，実施の形態１では、それぞれ円偏光励起二色性スペクトルを２次元または３次元で解析するための円二色性蛍光顕微鏡の一実施形態について説明したが、本実施形態では、２次元で円偏光蛍光二色性スペクトル解析（ＣＰＬ）の解析が可能な円二色性蛍光顕微鏡の一実施形態について説明する。なお、説明の便宜上、上記参考の形態１，実施の形態１にて説明した部材と同じ機能を有する部材については、同じ符号を付記し、その説明を省略する。本実施の形態では、上記参考の形態１，実施の形態１との相違点について説明するものとする。【００８６】
図３は、本参考の形態に係る円二色性蛍光顕微鏡２００の構造を模式的に示すものである。円二色性蛍光顕微鏡２００は、試料についての２次元で円偏光蛍光二色性スペクトル解析（ＣＰＬ）を解析するための蛍光顕微鏡である。【００８７】
具体的には、円二色性蛍光顕微鏡２００は、試料ステージ１０１，光学レンズ１０２，光源１０３，波長選択ミラー１０４，円偏光変調部２０５，偏光遮断部２０６，光学レンズ１０６，波長選択部１０７，蛍光測定部１０８，偏光制御部２０９，検出制御部２１０，ステージ制御部１１１，信号処理部２１４を備えている。【００８８】
円偏光変調部２０５は、光学レンズ１０２を透過した蛍光の左右の円偏光成分を、変調された直線偏光成分に変更する円偏光変調手段として機能するものである。より詳細には、円偏光変調部２０５は、偏光制御部２０９により、光学レンズ１０２を透過した蛍光（円偏光成分）を、所定の変調周波数で処理し、直線偏光成分に変更するように制御されるものである。円偏光変調部２０５は、かかる機能を有するものであれば、具体的な構成は特に限定されるものではなく、従来公知の円偏光変調手段を用いることができる。例えば、ＨＩＤＮＳ社製のＰＭ−Ｉ／ＦＳ５０等のＰＥＭモジュレータを用いることができる。【００８９】
偏光遮断部２０６は、円偏光変調部２０５により変調された直線偏光成分のうち、縦横いずれかの直線偏光成分の透過を遮断する偏光遮断手段として機能するものである。かかる偏光遮断部２０６としては、例えば、公知の偏光子を用いることができる。【００９０】
偏光制御部２０９は、円偏光変調部２０５が光学レンズ１０２を透過した蛍光（円偏光成分）を、所定の変調周波数で処理し、直線偏光成分に変更するように制御する偏光制御手段として機能するものである。かかる機能を有するものであれば、従来公知の制御部材を好適に用いることができる。例えば、ＰＥＭモジュレーターコントローラ等を用いることができる。【００９１】
検出制御部２１０は、信号処理部２１４が蛍光測定部１０８にて生成した蛍光強度信号（電気信号）のうち、上記変調周波数に同期して交流成分を取り出して、試料から放射される蛍光の右円偏光成分と左円偏光成分との強度の差分を算出するように制御する検出制御手段として機能するものである。また、検出制御部２１０は、蛍光測定部１０８からは光量信号を受け、偏光制御部２０９に対して参照信号を出力する。いわゆるロックインアンプとして機能するものであるとも換言できる。かかる制御部としては、従来公知の制御部材を好適に用いることができ、例えば、公知のロックインアンプを用いることができる。【００９２】
信号処理部２１４は、蛍光測定部１０８にて生成した蛍光強度信号（電気信号）に基づき、試料から放射される蛍光の右円偏光成分と左円偏光成分との強度の差分を算出する信号処理手段として機能するものである。換言すれば、試料についての円偏光蛍光二色性スペクトルを算出するものといえる。【００９３】
ここで、円偏光蛍光二色性スペクトルとは、試料に直線偏光を照射して励起したときに発生する蛍光について、偏光度を測定し、蛍光の右偏光成分の強度と左偏光成分の強度の差を波長に対して記録するものである。【００９４】
本参考の形態では、信号処理部２１４は、偏光制御部２０９，検出制御部２１０及びステージ制御部１１１といった各種制御手段を制御する部材でもある。具体的には、信号処理部２１４は、各種制御手段と連結されたインターフェース１１２及び解析用ＰＣ２１３とを備えている。【００９５】
解析用ＰＣ２１３は、インターフェース１１２を介して、偏光制御部２０９，検出制御部２１０及びステージ制御部１１１といった各種制御手段を制御するように構成されている。具体的には、解析用ＰＣ２１３は、インターフェース１１２を介して、偏光制御部２０９に対して波長制御信号を、ステージ制御部１１１に対してはＸＹ制御信号を付与する。かかるインターフェース１１２としては、例えば、ＧＰ−ＩＢインターフェース等を用いることができる。【００９６】
また、信号処理部２１４は、波長選択部１０７の所定波長を外部信号により制御するとともに、波長選択部１０７の設定波長に連動して円偏光変調部２０５の変調光波長を制御する円偏光蛍光検出波長制御手段として機能する構成であってもよい。【００９７】
解析用ＰＣ２１３は、さらに、本信号処理部によって算出された蛍光強度の差情報に基づき、上記試料についての画像を形成する画像処理手段として機能するように構成されていてもよい。これは、試料についてのキラリティ情報をイメージングし、マッピングする手段である。かかるイメージング・マッピング機構については、従来公知の手段や機構、ソフトウェアを用いることができ、特に限定されるものではない。例えば、レーザ走査型蛍光顕微鏡等のデータを用いてイメージング・マッピングするソフトウェア等を好適に用いることができる。このように、信号処理部２１４は、少なくとも上述した機能を備えていればよく、その具体的な構成等は特に限定されず、特に記述した点以外については、公知の演算装置（ハードウェア）やソフトウェアを好適に用いることができる。【００９８】
なお、イメージマッピングの機構における信号処理の具体例は、上述の参考の形態１と同様であるため、ここではその説明を省略する。【００９９】
次に、円二色性蛍光顕微鏡２００が、試料についての円偏光蛍光二色性スペクトルを解析する際の動作について説明する。【０１００】
まず、光源１０３から直線偏光のレーザ光を出射し、波長選択ミラー１０４を介して光学レンズ計１０２に対して照射する。直線偏光のレーザ光は、光学レンズ１０２により集光され、試料ステージ１０１上の試料に照射される。本試料は試料ステージ１０１に固定されており、試料の位置はステージ制御部１１１を介して信号処理部２１４（具体的には、解析用ＰＣ２１３）により制御される。【０１０１】
上記直線偏光のレーザ光（励起光）の試料への集光照射により、試料から蛍光が放射される。試料から発せられる蛍光は、光学レンズ１０２により集光され平行光として波長選択ミラー１０４を透過し、円偏光変調部２０５に入射する。円偏光変調部２０５は、検出制御部２１０からの参照信号によって定義される振動数ωで、かつ振幅が±λ／４の位相差を蛍光光に与えるように構成されている（偏光制御部２０９を介して）。ここでλは計測波長であり、蛍光発光の極大にあわせて、信号処理部２１４の解析用ＰＣ２１３からインターフェース１１２を介して波長制御信号として偏光制御部２０９を介して与えられる。【０１０２】
円偏光変調部２０５が＋λ／４の位相差を蛍光光に与え、右円偏光を直線偏光化する場合には（この場合の右円偏光成分を便宜上、“＋”成分とする）、円偏光変調部２０５を透過した蛍光光の円偏光成分のうち左円偏光成分（便宜上、“−”成分とする）は偏光遮断部２０６によってカットされる。一方、右円偏光成分は偏光遮断部２０６を透過し、光学レンズ１０６、波長選択部１０７を経て、蛍光測定部１０８にて蛍光強度信号（電気信号）に変換される。そして、光量信号として検出制御部２１０へ出力される。【０１０３】
また、円偏光変調部２０５が−λ／４の位相差を蛍光光に与え、左円偏光を直線偏光化する場合には（この場合の左円偏光成分を便宜上、“＋”成分とする）、円偏光変調部２０５を透過した蛍光光の円偏光成分のうち右円偏光成分（便宜上“−”成分とする）は偏光遮断部２０６によってカットされ、一方、左円偏光成分は偏光遮断部２０６を透過し、光学レンズ１０６、波長選択部１０７を経て、蛍光測定部１０８にて蛍光強度信号（電気信号）に変換される。そして、光量信号として検出制御部２１０へ出力される。【０１０４】
このとき、右円偏光成分と左円偏光成分とが同等の場合には、円偏光変調部２０５の位相変調に依存せずに一定の電気信号が得られるが、もしも右円偏光成分が多い場合には、円偏光変調部２０５が＋λ／４を与える場合に強い電気信号をあたえ、円偏光変調部２０５が−λ／４を与える場合に弱い電気信号を与えることから、蛍光測定部１０８からの信号出力は振動数ωで変調されることになる。【０１０５】
この変調信号成分を光量信号として検出制御部２１０にて検出し、信号処理部２１４のインターフェース１１２を介して解析用ＰＣ２１３にデータを転送する。そして、解析用ＰＣ２１３は、円偏光蛍光二色性スペクトルを解析する。なお、あわせて、試料ステージ１０１の位置情報に応じた円偏光蛍光二色性スペクトルをイメージ化しマッピングしてもよい。【０１０６】
上述した円二色性蛍光顕微鏡２００によれば、まず、試料の絶対量が少なくても円偏光蛍光二色性スペクトルを解析可能である。これにより、多くの試料を必要としないというメリットがある。また、本円二色性蛍光顕微鏡によれば、例えば、細胞内部に存在するタンパク質や核酸といった生体分子について、細胞内部におけるキラリティ情報や高次構造、立体構造等を解析することができる。さらに、血液や体液（唾液含）等の光散乱性の試料でも解析可能である。【０１０７】
〔実施の形態２〕
上記参考の形態２では、円偏光蛍光二色性スペクトルを２次元解析するための円二色性蛍光顕微鏡の一実施形態について説明したが、本実施形態では、共焦点化することにより３次元で円偏光蛍光二色性スペクトルの解析が可能な円二色性蛍光顕微鏡の一実施形態について説明する。なお、説明の便宜上、上記参考の形態１，２及び実施の形態１にて説明した部材と同じ機能を有する部材については、同じ符号を付記し、その説明を省略する。本実施の形態では、上記参考の形態１，２及び実施の形態１との相違点について説明するものとする。【０１０８】
図４は、本実施の形態に係る円二色性蛍光顕微鏡２００’の構造を模式的に示すものである。円二色性蛍光顕微鏡２００’は、共焦点化し、試料についての３次元で円偏光蛍光二色性スペクトル解析（ＣＰＬ）を解析するための蛍光顕微鏡である。【０１０９】
具体的には、円二色性蛍光顕微鏡２００’は、試料ステージ１０１’，光学レンズ１０２，光源１０３，波長選択ミラー１０４，円偏光変調部２０５，偏光遮断部２０６，光学レンズ１０６，波長選択部１０７，蛍光測定部１０８，偏光制御部２０９，検出制御部２１０，ステージ制御部１１１’，信号処理部２１４’，共焦点部１１５を備えている。【０１１０】
信号処理部２１４’は、インターフェース１１２と３次元解析用の解析用ＰＣ２１３’を備えている。解析用ＰＣ２１３’は、共焦点顕微鏡データから３次元の円偏光蛍光二色性スペクトル解析を行うものである。３次元データを処理する手法や機構については、従来公知の３次元データを解析するためのソフトウェア等を好適に用いることができ、特に限定されるものではない。なお、円偏光蛍光二色性スペクトル解析の解析手法の原理については、参考の形態２と同様である。また、解析用ＰＣ２１３’は、イメージング・マッピング処理が可能に構成されていてもよい。イメージマッピングの機構における信号処理の具体例は、上述の参考の形態１と同様であるため、ここではその説明を省略する。【０１１１】
また、信号処理部２１４’は、信号処理部２１４と同様、波長選択部１０７の所定波長を外部信号により制御するとともに、円偏光変調部２０５の変調光波長を制御する円偏光蛍光検出波長制御手段として機能する構成であってもよい。【０１１２】
円二色性蛍光顕微鏡２００’の動作については、円偏光変調部２０５を透過した蛍光が、偏光遮断部２０６に到達する前に、共焦点部１１５を透過する点以外は、参考の形態２とほぼ同様であるため、詳細な説明は省略する。上記の構成により、試料から放射された蛍光のうち、微小開口部に焦点を結ぶ光のみが透過し、それ以外の光は遮断されるため、蛍光検出部１０８では試料からの蛍光について共焦点像を得ることができる。そして、信号処理部２１４’は、この共焦点像データに基づき、円偏光蛍光二色性スペクトルを３次元解析することになる。【０１１３】
上記の構成によれば、上述した参考の形態２で述べた効果に加えて、例えば、細胞内部に存在するタンパク質や核酸といった生体分子について、生体内部におけるキラリティ情報や高次構造、立体構造等を３次元解析することができる。また、イメージング・マッピングすることも勿論可能である。【０１１４】
なお、本実施の形態では、共焦点部１１５を円偏光変調部２０５と偏光遮断部２０６との間に設置しているが、例えば、共焦点部１１５を、偏光遮断部２０６と光学レンズ１０６との間に配置されるように構成してもよい。共焦点部１１５の配置位置は、これらの構成に限られるものではなく、本発明の目的を達成できる範囲で種々の設計変更が可能である。【０１１５】
〔実施の形態３〕
上記実施の形態２では、円偏光蛍光二色性スペクトルを３次元解析するための円二色性蛍光顕微鏡の一実施形態について説明した。さらに、本実施形態では、上記実施の形態２で示す円二色性蛍光顕微鏡をより高感度に改良した、円偏光蛍光二色性スペクトルの解析が可能な円二色性蛍光顕微鏡について説明する。なお、説明の便宜上、上記参考の形態１，２及び実施の形態１，２にて説明した部材と同じ機能を有する部材については、同じ符号を付記し、その説明を省略する。本実施の形態では、上記参考の形態１，２及び実施の形態１，２との相違点について説明するものとする。【０１１６】
図５は、本実施の形態に係る円二色性蛍光顕微鏡３００の構造を模式的に示すものである。円二色性蛍光顕微鏡３００は、共焦点化し、試料についての３次元で円偏光蛍光二色性スペクトル解析（ＣＰＬ）を解析するための蛍光顕微鏡である。【０１１７】
具体的には、円二色性蛍光顕微鏡３００は、試料ステージ１０１’，光学レンズ１０２，光源１０３，波長選択ミラー１０４，円偏光変調部２０５，偏光遮断部２０６，光学レンズ１０６，波長選択部１０７，蛍光測定部１０８，偏光制御部２０９，検出制御部２１０，ステージ制御部１１１’，信号処理部２１４’，共焦点部１１５’を備えている。【０１１８】
円二色性蛍光顕微鏡３００では、図５に示すように、共焦点部１１５’が円偏光変調部２０５の前方に設けられている点のみが円二色性蛍光顕微鏡２００’と異なる。この点以外の構成は、上記実施の形態２における円二色性蛍光顕微鏡２００’と同じであるため、説明を省略する。【０１１９】
次に、円二色性蛍光顕微鏡３００の動作について説明する。基本的には円二色性蛍光顕微鏡２００’の動作と同じであるが、試料から放射された蛍光が、共焦点部１１５’を通過した後、円偏光変調部２０５に到達する点のみが異なる。上記の構成によれば、試料から放射された蛍光がそのまま円偏光変調部２０５に到達せず、一旦共焦点部１１５’を透過することになる。この場合、共焦点部１１５’の働きにより、試料から放射された蛍光は、微小開口部に焦点を結ぶ光のみが透過し、それ以外の光は遮断されるため、整えられることになる。そして、この整えられた蛍光が円偏光変調部２０５へと至る。【０１２０】
本願発明者は、独自の研究により、上記のように円偏光変調部２０５の前に、試料から放出される蛍光光を整えるための、微小開口部を有する共焦点部１１５’を設けることにより、得られるデータの感度が格段に向上することを見出した。つまり、共焦点部１１５’を用いて、蛍光光を平行光束（整えられた蛍光）にして円偏光変調部２０５に入射するように構成することを見出した。かかる知見は、上述した特許文献３には開示も示唆もされていない、本願独自の技術思想といえる。【０１２１】
以下に、本願発明の特徴点の理解の一助とすべく、本願発明と類似の発明を開示しする上記特許文献３と対比説明を行う。【０１２２】
具体的には、上述したように、上記特許文献３に開示の装置では、励起光を透過し、蛍光光を反射させる手段として、半透過ミラーを用いている。半透過ミラーは波長選択性がないだけでなく、半透過であるために、入射する励起光について光強度のロスが発生してしまう。さらに、反射させる蛍光光についても強度ロスが発生することとなる。このようなロスにより、測定精度が大幅に劣る。加えて、半透過ミラーが光路に対して厳密に４５度の角度で配置されていないと、ひずみが発生し、測定精度、安定性が大幅に劣る。【０１２３】
これに対して、本願発明では、半透過ミラーに替えて、波長選択ミラーを用いている。波長選択ミラーは波長の短い光（本願では励起光）を曲げ、長い光（同蛍光光）を直進させるものである。【０１２４】
つまり、本願発明と上記特許文献３とでは、波長選択ミラーを用いるか、それとも半透過ミラーを用いるかという点で、技術的に大きく異なる。このような構成の相異により、励起光（本願では折り曲げられるが、上記特許文献３では直進）と蛍光光（本願では直行し、上記特許文献３では折り曲げ）の光路が異なる。【０１２５】
この構成の相異により、上記特許文献３の強度ロスは励起光５０％、蛍光光５０％となり、非常に大きくなるのに対して、本願発明では、強度ロスは励起光５％、蛍光光１０％に過ぎない。したがって、本願は、上記の構成により測定の安定性が確保できる。【０１２６】
さらに、上記特許文献３の装置では、アイリスが検出部の直近にある。この構成では、試料から出る蛍光光が偏光変調部内で多重反射し、円偏光成分の検出に誤差が生じてしまう。これに対して、本願発明では、波長選択ミラー１０４と円偏光変調部２０５（モジュレータ）との間に共焦点部１１５‘が存在する。このため、非平行光束成分が除去され、高感度の計測が可能となる。【０１２７】
このように、試料から放射された蛍光が一旦整えられ、その後、円偏光変調部２０５へ到達することにより、蛍光検出部１０８にて検出する共焦点データは格段に感度が向上する。例えば、円二色性蛍光顕微鏡３００は、円二色性蛍光顕微鏡２００’に比べて、その感度、再現性ともに、約１桁向上する。【０１２８】
それゆえ、円二色性蛍光顕微鏡３００によれば、例えば、実施の形態２の円二色性蛍光顕微鏡２００’では解析困難であった、円偏光成分が小さい試料についても、高精度かつ再現性よく解析することができる。【０１２９】
したがって、本円二色性蛍光顕微鏡では、共焦点部を、(i) 波長選択ミラー１０４と上記蛍光検出部１０８との間、より好ましくは(ii) 波長選択ミラー１０４と円偏光変調手段２０５との間に設けることが好ましいといえる。【０１３０】
また、本発明は、以下の円二色性蛍光顕微鏡を含んでいてもよい。【０１３１】
（ａ）光源と、上記光源から出射する光束を左右の円偏光とする円偏光変調手段と、上記円偏光変調手段を透過する左右の円偏光を、試料に対して集光照射するための第１の光学レンズと、上記試料から放射される蛍光を集光するための第２の光学レンズと、上記第２の光学レンズにて集光される蛍光のうち、所定波長の蛍光のみを通過させる波長選択手段と、上記波長選択手段を透過する蛍光を検出し蛍光強度信号とする蛍光測定手段と、上記蛍光測定手段にて生成した蛍光強度信号に基づき、右円偏光を照射した際に試料から放射される蛍光と、左円偏光を照射した際に試料から放射される蛍光との強度の差分を算出する信号処理手段と、を備える円二色性蛍光顕微鏡。【０１３２】
（ｂ）さらに、上記円偏光変調手段が上記光源から出射した光束を所定の変調周波数で交互に左右の円偏光とするように制御する偏光制御手段と、上記信号処理手段が、上記蛍光測定手段にて生成した蛍光強度信号のうち、上記変調周波数に同期して交流成分を取り出して、右円偏光を照射した際に試料から放射される蛍光と、左円偏光を照射した際に試料から放射される蛍光との強度の差分を算出するように制御する検出制御手段と、を備える（ａ）に記載の円二色性蛍光顕微鏡。【０１３３】
（ｃ）さらに、上記第２の光学レンズと上記波長選択手段との間に、第３の光学レンズを備える（ａ）又は（ｂ）に記載の円二色性蛍光顕微鏡。【０１３４】
（ｄ）上記第１の光学レンズと上記第２の光学レンズとは、同一の光学レンズである（ａ）〜（ｃ）のいずれかに記載の円二色性蛍光顕微鏡。【０１３５】
（ｅ）さらに、上記第２の光学レンズと上記波長選択手段との間に、共焦点手段を備える（ａ）〜（ｄ）のいずれかに記載の円二色性蛍光顕微鏡。【０１３６】
（ｆ）光源と、上記光源から出射する光束を集光照射するための第１の光学レンズと、試料から放射される蛍光を集光するための第２の光学レンズと、上記第２の光学レンズを透過した蛍光を、左右の円偏光とする円偏光変調手段と、上記左右の円偏光成分のうち、左右いずれかの円偏光成分の透過を遮断する偏光遮断手段と、上記偏光遮断手段を透過した円偏光成分のうち、所定波長の光のみを通過させる波長選択手段と、上記波長選択手段を透過した蛍光を検出し蛍光強度信号とする蛍光測定手段と、上記蛍光測定手段にて生成した蛍光強度信号に基づき、試料から放射される蛍光の右円偏光成分と左円偏光成分との強度の差分を算出する信号処理手段と、を備える円二色性蛍光顕微鏡。【０１３７】
（ｇ）さらに、上記円偏光変調手段が上記第２の光学レンズを透過した蛍光を、所定の変調周波数で交互に左右の円偏光とするように制御する偏光制御手段と、上記信号処理手段が、上記蛍光測定手段にて生成した蛍光強度信号のうち、上記変調周波数に同期して交流成分を取り出して、試料から放射される蛍光の右円偏光成分と左円偏光成分との強度の差分を算出するように制御する検出制御手段と、を備える（ｆ）に記載の円二色性蛍光顕微鏡。【０１３８】
（ｈ）さらに、上記偏光遮断手段と上記波長選択手段との間に、第３の光学レンズを備える（ｆ）又は（ｇ）に記載の円二色性蛍光顕微鏡。【０１３９】
（ｉ）上記第１の光学レンズと上記第２の光学レンズとは、同一の光学レンズである（ｆ）〜（ｇ）のいずれかに記載の円二色性蛍光顕微鏡。【０１４０】
（ｊ）さらに、上記円偏光変調手段と偏光遮断手段との間、又は、上記偏光遮断手段と波長選択手段との間に、共焦点手段を備える（ｆ）〜（ｉ）のいずれかに記載の円二色性蛍光顕微鏡。【０１４１】
（ｋ）さらに、上記信号処理手段によって算出された蛍光強度の差情報に基づき、上記試料についての画像を形成する画像処理手段を備える（ａ）〜（ｊ）のいずれかに記載の円二色性蛍光顕微鏡。【０１４２】
上記各参考の形態及び実施の形態で述べた構成は、本発明に係る円二色性蛍光顕微鏡のあくまで一例に過ぎず、本発明は上述した構成に限られず、本発明の目的を達することができる範囲で様々な態様・構成が可能であることはいうまでもない。なお、本参考の形態及び実施の形態で説明していない技術的事項については、適宜、他の参考の形態及び実施の形態の記載や本願出願当時の技術水準にある技術を好適に利用することができる。さらに、請求項に示した範囲で種々の変更が可能であり、異なる参考の形態及び実施の形態にそれぞれ開示された技術的手段を適宜組み合わせて得られる参考の形態及び実施の形態についても本発明の技術的範囲に含まれることを念のため付言しておく。【０１４３】
最後に、円二色性蛍光顕微鏡の各ブロック、特に信号処理部，偏光制御部，検出制御部，およびステージ制御部（以下、単に信号処理部等と称する。）は、ハードウェアロジックによって構成してもよいし、次のようにＣＰＵを用いてソフトウェアによって実現してもよい。【０１４４】
すなわち、円二色性蛍光顕微鏡は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである円二色性蛍光顕微鏡の制御プログラムのプログラムコード（実行形式プログラム、中間コードプログラム、ソースプログラム）をコンピュータで読み取り可能に記録した記録媒体を、上記円二色性蛍光顕微鏡に供給し、そのコンピュータ（またはＣＰＵやＭＰＵ）が記録媒体に記録されているプログラムコードを読み出し実行することによっても、達成可能である。【０１４５】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。【０１４６】
また、円二色性蛍光顕微鏡を通信ネットワークと接続可能に構成し、上記プログラムコードを、通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用の可能性】
【０１４７】
本発明に係る円二色性蛍光顕微鏡によれば、少量の試料から円偏光励起二色性スペクトル（ＦＤＣＤ）又は円偏光蛍光二色性スペクトル（ＣＰＬ）を解析できるという効果を奏する。このため、試料のキラリティについての情報を、大量の試料を必要とせず、なおかつ高精度で解析することができる。このため、本円二色性蛍光顕微鏡によれば、例えば、細胞内部に存在するタンパク質や核酸といった生体分子について、細胞内部におけるキラリティ情報や高次構造、立体構造等を直接解析することができる。
【０１４８】
本発明に係る円二色性蛍光顕微鏡は、生体分子等のキラリティや高次構造情報を解析することができるため、医学・生理学等の学術分野だけでなく、診断・医療機器、分析機器、製薬事業や食品事業等の様々な産業において利用可能である。
【図１】
2007088947.tif 000003
【図２】
2007088947.tif 000004
【図３】
2007088947.tif 000005
【図４】
2007088947.tif 000006
【図５】
2007088947.tif 000007
【手続補正書】
【提出日】平成19年9月13日(2007.9.13)
【手続補正１】
【補正対象書類名】特許請求の範囲
【補正対象項目名】全文
【補正方法】変更
【補正の内容】
【特許請求の範囲】
【請求項１】
光源と、
上記光源から出射する光束を左右の円偏光とする円偏光変調手段と、
上記円偏光変調手段を透過する左右の円偏光を、試料に対して集光照射するための第１の光学レンズと、
上記試料から放射される蛍光を集光するための第２の光学レンズと、
上記第２の光学レンズにて集光される蛍光のうち、所定波長の蛍光のみを通過させる波長選択手段と、
上記波長選択手段を透過する蛍光を検出し蛍光強度信号とする蛍光測定手段と、
上記蛍光測定手段にて生成した蛍光強度信号に基づき、右円偏光を照射した際に試料から放射される蛍光と、左円偏光を照射した際に試料から放射される蛍光との強度の差分を算出する信号処理手段と、を備え、
さらに、上記第２の光学レンズと上記波長選択手段との間に、微小開口部を有する共焦点手段を備え、
上記第１の光学レンズと上記第２の光学レンズとは、同一の光学レンズであり、
上記第２の光学レンズと共焦点手段との間に、上記円偏光変調手段を透過した左右の円偏光は反射する一方、試料からの蛍光は透過する波長選択ミラーを備えることを特徴とする円二色性蛍光顕微鏡。
【請求項２】
さらに、上記円偏光変調手段が上記光源から出射した光束を所定の変調周波数で交互に左右の円偏光とするように制御する偏光制御手段と、
上記信号処理手段が、上記蛍光測定手段にて生成した蛍光強度信号のうち、上記変調周波数に同期して交流成分を取り出して、右円偏光を照射した際に試料から放射される蛍光と、左円偏光を照射した際に試料から放射される蛍光との強度の差分を算出するように制御する検出制御手段と、を備えることを特徴とする請求項１に記載の円二色性蛍光顕微鏡。
【請求項３】
さらに、上記第２の光学レンズと上記波長選択手段との間に、第３の光学レンズを備えることを特徴とする請求項１に記載の円二色性蛍光顕微鏡。
【請求項４】
（削除）
【請求項５】
上記微小開口部の直径は、１０μｍ以上１００μｍ以下であることを特徴とする請求項１に記載の円二色性蛍光顕微鏡。
【請求項６】
光源と、
上記光源から出射する光束を集光照射するための第１の光学レンズと、
試料から放射される蛍光を集光するための第２の光学レンズと、
上記光源からの励起光は反射する一方、試料からの蛍光は透過する波長選択ミラーと、
上記第２の光学レンズを透過した蛍光の左右の円偏光成分を、変調された直線偏光成分に変更する円偏光変調手段と、
上記直線偏光成分のうち、縦横いずれかの直線偏光成分の透過を遮断する偏光遮断手段と、
上記偏光遮断手段を透過した円偏光成分のうち、所定波長の光のみを通過させる波長選択手段と、
上記波長選択手段を透過した蛍光を検出し蛍光強度信号とする蛍光測定手段と、
上記蛍光測定手段にて生成した蛍光強度信号に基づき、試料から放射される蛍光の右円偏光成分と左円偏光成分との強度の差分を算出する信号処理手段と、を備え、
さらに、上記波長選択ミラーと上記蛍光測定手段との間に、微小開口部を有する共焦点手段を備えることを特徴とする円二色性蛍光顕微鏡。
【請求項７】
上記共焦点手段は、上記波長選択ミラーと上記円偏光変調手段との間に設けられていることを特徴とする請求項６に記載の円二色性蛍光顕微鏡。
【請求項８】
上記共焦点手段は、円偏光変調手段へ到達する蛍光を整える機能を有するものであることを特徴とする請求項６に記載の円二色性蛍光顕微鏡。
【請求項９】
さらに、上記円偏光変調手段が上記第２の光学レンズを透過した蛍光を、所定の変調周波数で交互に左右の円偏光とするように制御する偏光制御手段と、
上記信号処理手段が、上記蛍光測定手段にて生成した蛍光強度信号のうち、上記変調周波数に同期して交流成分を取り出して、試料から放射される蛍光の右円偏光成分と左円偏光成分との強度の差分を算出するように制御する検出制御手段と、を備えることを特徴とする請求項６に記載の円二色性蛍光顕微鏡。
【請求項１０】
さらに、上記偏光遮断手段と上記波長選択手段との間に、第３の光学レンズを備えることを特徴とする請求項６に記載の円二色性蛍光顕微鏡。
【請求項１１】
上記第１の光学レンズと上記第２の光学レンズとは、同一の光学レンズであることを特徴とする請求項６に記載の円二色性蛍光顕微鏡。
【請求項１２】
上記微小開口部の直径は、１０μｍ以上１００μｍ以下であることを特徴とする請求項６に記載の円二色性蛍光顕微鏡。
【請求項１３】
さらに、上記信号処理手段によって算出された蛍光強度の差情報に基づき、上記試料についての画像を形成する画像処理手段を備えることを特徴とする請求項１に記載の円二色性蛍光顕微鏡。
【請求項１４】
さらに、上記信号処理手段によって算出された蛍光強度の差情報に基づき、上記試料についての画像を形成する画像処理手段を備えることを特徴とする請求項６に記載の円二色性蛍光顕微鏡。
【請求項１５】
上記波長選択手段の所定波長を外部信号により制御するとともに、円偏光変調手段の変調光波長を制御する円偏光蛍光検出波長制御手段を備えることを特徴とする請求項１または６に記載の円二色性蛍光顕微鏡。
【国際調査報告】
2007088947.tif 000008
2007088947.tif 000009
2007088947.tif 000010
2007088947.tif 000011